(57)【特許請求の範囲】
【請求項１】
複数のアンテナ受信ブランチを有するダイバーシティ受信器であって：
各々のブランチは受信チャネルパラメータを評価する手段を有し；
一のブランチの前記チャネルパラメータ評価手段は他のブランチの前記チャネルパラメータ評価手段に結合され；そして
前記一のブランチにおける前記チャネルパラメータ評価が、前記他のブランチにおける前記チャネルパラメータ評価についての開始点として用いられる；
ダイバーシティ受信器。
【請求項２】
請求項１に記載のダイバーシティ受信器であって、前記一のブランチにおける前記チャネルパラメータ評価は粗いチャネルパラメータ評価を与え、該粗いチャネルパラメータ評価は、前記他のブランチにおける前記チャネルパラメータ評価についての開始点として用いられる、ダイバーシティ受信器。
【請求項３】
請求項１又は２に記載のダイバーシティ受信器であって、前記他のブランチにおける前記評価手段は、前記一のブランチにおける受信パラメータチャネルを評価するための支援として前記他のブランチにおける前記チャネルパラメータ評価の少なくとも一部を用いるように、前記一のブランチにおける前記評価手段に結合されている、ダイバーシティ受信器。
【請求項４】
請求項１乃至３のいずれか一項に記載のダイバーシティ受信器であって、該ダイバーシティ受信器は前記一のブランチ及び前記他のブランチを受信する２つのアンテナを有する、
ダイバーシティ受信器。
【請求項５】
請求項１乃至４のいずれか一項に記載のダイバーシティ受信器であって、該ダイバーシティ受信器は、種々のブランチにおける特定のチャネルパラメータ評価の出現の間の時間遅延を評価するように備えられている、ダイバーシティ受信器。
【請求項６】
請求項１乃至５のいずれか一項に記載のダイバーシティ受信器を備えているモバイル無線通信装置。
【請求項７】
複数のアンテナ受信ブランチを介して信号を受信するステップ；及び
チャネルパラメータについての評価を各々のブランチにおいて行うステップ；
を有する方法であり、
前記一のブランチにおける前記チャネルパラメータ評価は、前記他のブランチにおける前記チャネルパラメータ評価についての開始点として用いられる；
ことを特徴とする方法。
【発明の詳細な説明】
【技術分野】
【０００１】
本発明は、複数のアンテナ受信ブランチを有するダイバーシティ受信器に関する。
【０００２】
本発明は又、そのようなダイバーシティ受信器を備えたモバイル無線通信装置と、信号が複数のアンテナ受信ブランチにより受信される方法と、その方法を適用するための適切な信号とに関する。
【背景技術】
【０００３】
そのようなダイバーシティ受信器については、特開平０４−１８５１３０号公報に記載されている。その公知のダイバーシティ受信器は、２つのＲＦアンテナ受信ブランチを有する。それ故、２つのアンテナが交差して非相関信号を受信するような相互距離において、それらのアンテナを空間的に分離するようなアンテナを、各々のＲＦブランチは有する。既知のダイバーシティ受信器において、ブランチは、連続して次のようなものを更に有する。即ち、それらは、それぞれのアンテナに結合したフィルタ、増幅器、遅延装置及び合成器である。既知のダイバーシティ受信器は、マルチパス歪の影響を減少させ、スペクトル拡散通信環境における被受信無線チャネルの安定な受信を達成する。
【０００４】
被受信チャネルの選択及び受信を制御するための実質的な処理能力量が必要とされることは、既知のダイバーシティ受信器の不利点である。
【発明の開示】
【発明が解決しようとする課題】
【０００５】
本発明の目的は、処理能力と正確さとの間の更なるフレキシビリティ及び改善されたトレードオフを示すダイバーシティ受信器を提供することである。
【課題を解決するための手段】
【０００６】
本発明に従ったダイバーシティ受信器において、各々のブランチは少なくとも受信チャネルパラメータを評価する手段を有し、一のブランチにおけるチャネルパラメータ評価手段は、他のブランチにおけるチャネルパラメータ評価手段に結合されている、ことを特徴とする。
【０００７】
同様に、本発明に従った方法で、各々のブランチにおいて、受信チャネルについての評価が行われる。
【０００８】
本発明に従ったダイバーシティ受信器及び方法の優位性は、チャネル特性についての知識を必要とするそのダイバーシティスキームにおいて、１つのブランチにおけるチャネル評価手段と他のブランチにおけるチャネル評価手段との間の結合が、ダイバーシティ処理及び演算の重複の少なくとも一部を回避するということに優位性がある、ことである。特に、種々のダイバーシティブランチ間でチャネルパラメータ評価情報の形で情報を交換することにより、ダイバーシティ処理及び演算の一部は、時間の観点から観測する場合、冗長になる。このように、１つのアンテナがチャネルパラメータ評価を決定することができる位置を得ることが利用されるという事実がある一方、僅かに早く又は遅く、少なくとも一部において、同様の演算が他のアンテナに対してなされる。そのような演算についての説明は、ここでは、省略する。換言すれば、ある時間量の範囲内で同じ処理能力を使用するとき、チャネル評価パラメータ結果は、有利なことに、更に正確になる。そのような有利点は又、そのようなダイバーシティ受信器を有するモバイル通信装置に対して適用できる。
【０００９】
本発明に従って、一のブランチにおけるチャネルパラメータ評価が、他のブランチにおけるチャネルパラメータ評価についての開始点として用いられる。
【００１０】
演算の冗長性を伴わずに、そして同じ処理能力を与えることにより、チャネル評価は、ここで、短い時間量で演算されることができ、又は、処理能力より小さい処理時間量を与えることができ、必要とされる演算は同じ結果を取得する。
【００１１】
本発明に従ったダイバーシティ受信器の実施形態は、一のブランチにおけるチャネルパラメータ評価が粗いチャネルパラメータ評価を与える一方、粗いチャネルパラメータ評価は、他のブランチにおけるチャネルパラメータ評価についての開始として用いられることを特徴とする。
【００１２】
この、本発明に従ったダイバーシティ受信器の実施形態は、更に正確なチャネル評価結果に繋がる。
【００１３】
本発明に従ったダイバーシティ受信器の他の実施形態は、他のブランチにおける評価手段が、前記一のブランチにおいて受信されるパラメータチャネルを評価するための支援として他のブランチにおけるチャネルパラメータ評価の少なくとも一部を用いるために、前記１つのブランチにおける評価手段に結合されることを特徴とする。
【００１４】
このように、種々のブランチにおける評価手段は互いに結合され、それにより、互いに交換されたチャネルパラメータ評価情報の多重化、又は有利点の多重化をそれに応じて生成する関連情報に繋がる。
【００１５】
本発明に従ったダイバーシティ受信器の他の実施形態は、ダイバーシティ受信器が２つのアンテナ受信ブランチを有することを特徴とする。
【００１６】
このことは、単純な且つコストパフォーマンスの高い、本発明に従ったダイバーシティ受信器を提供する。
【００１７】
本発明に従ったダイバーシティ受信器の他の実施形態の優位性は、種々のブランチにおける特定のチャネルパラメータ評価のアピアランス間の時間遅延を評価するためにシステムを構成することができることである。
【００１８】
以下、本発明に従ったダイバーシティ受信器及び方法については、本発明に従ったダイバーシティ受信器の実施形態について、添付図面を参照しながら図解的に説明することにより、追加の優位性と共に更に明らかになるであろう。
【発明を実施するための最良の形態】
【００１９】
唯一の図面は、２つのアンテナ受信ブランチＢ１及びＢ２を有する特定のダイバーシティ受信器１の模式図であり、この図は、ダイバーシティ信号を受信するための方法について、下で説明することにより支援される。各々のブランチＢ１、Ｂ２は、一般に、高周波（ＲＦ）受信手段２、３と呼ばれる受信手段を有する。図に示している受信器は、ＲＦ手段２、３それぞれに結合された２つのそれぞれのアンテナＡ１、Ａ２を有する。ＲＦ手段２、３は、当該技術分野において全て周知である、フィルタ、（低ノイズ）増幅器、混合器、オシレータ、変換器、アナログ又はディジタル処理手段を有する（明示的に示していない）が、交差した状態に具現化されるか又はされない。例えば、ＲＦ手段２及び３から、１つ又はそれ以上の信号がチャネルパラメータ評価手段６及び７それぞれの入力４及び５それぞれに供給され、それらのチャネルパラメータ評価手段６及び７は、それらＲＦ手段それぞれから出力８及び９それぞれにおけるそれぞれのチャネルパラメータ量をもたらされることが可能である。チャネルパラメータの例は、例えば、１つ又はそれ以上のチャネルにおける受信信号量、又は、チャネル伝達関数であって、例えば、各々のブランチにおける各々の受信チャネルの振幅及び位相である。チャネルパラメータ評価手段６、７は、ＲＦ手段２、３の出力１０、１１からそれぞれのパラメータ信号を得ることができる。例えば、品質パラメータは、図において破線により示している、ハードリミッタ１２及び１３からの出力信号により与えられるデータ信号から更に導き出されることが可能である。出力８及び９におけるチャネルパラメータ信号は各々、ブランチＢ１、Ｂ２の特定の受信チャネルが関連しているという点で、受信信号の評価のための指標を成す。パラメータがチャネル品質に関連するとき、そのような品質は共通の受信信号強度表示（ＲＳＳＩ）であることが可能である。他の例は、ＤＥＣＴ（Ｄｉｇｉｔａｌ
Ｅｎｈａｎｃｅｄ Ｃｏｄｅｌｅｓｓ Ｔｅｌｅｃｏｍｍｕｎｉｃａｔｉｏｎ）システムにおける特定の場合に用いられるチェックサムに関する。品質測定は、連続的に実行されることが可能であり、そうでないことも可能である。品質信号により、ダイバーシティ装置は、アンテナＡ１、Ａ２のどちらかが選択されるべき最適であるかについて決定することが可能である。このことについては、制御可能な増幅器１４及び１５並びにそれらの増幅器１４及び１５に結合された加算器１６により、その図に示している。しばしば、振幅及び位相情報の両方が、加算器１６において信号のコヒーレント加算を確実にするために用いられる。そのような場合、制御可能増幅器１４及び１５は位相補正を実行するために必要である。事実上、実際の実施形態においては、増幅器１４及び１５は、受信信号の位相を合わせるが、信号の振幅を修正しない可能性がある。この処理は、“ｅｑｕａｌ ｇａｉｎ ｃｏｍｂｉｎｉｎｇ”と呼ばれる。上記のように、他のチャネルパラメータの例はチャネル伝達関数である。品質パラメータと同様に、チャネル伝達関数パラメータ演算結果は、チャネルパラメータ手段６及び７の間で少なくとも一部が交換されることが可能である。品質パラメータ及びチャネル伝達パラメータの両方は、最適なアンテナＡ１又はＡ２を選択するための総演算量を減少させるために、交換されることが可能である。
【００２０】
一のブランチＢ１におけるチャネル評価手段６は、他のブランチＢ２における受信チャネルを評価するための支援として、その一のブランチＢ１におけるチャネル評価の少なくとも一部を用いるために、他のブランチＢ２におけるチャネル評価手段７に結合される。チャネル評価手段６、７の１つが、支援することができる情報の又はチャネル評価情報の１つの交換方法に対して他のブランチにおいて、対応するチャネル評価手段に結合されること以外に、少なくとも特定の時間の期間中、チャネル評価手段６、７がそのような情報を互いに交換することを又、可能にする。これは、処理能力が一定に保たれる場合、チャネル評価の正確度の向上に導き、又は、著しい処理能力量を節約する。例えば、評価手段６又は７の１つから得られるチャネル評価は、チャネル評価手段７、６又は／及びその逆の順序でなされる演算及び処理のための開始点として用いられる。その１つのブランチＢ１、Ｂ２においてチャネル評価手段６、７により演算されるチャネル評価は粗いチャネル評価を与えることが又、可能であり、その粗いチャネル評価は、チャネル評価手段７、６又は／及びその逆の順序でなされる演算及び処理のための開始点として用いられる。
【００２１】
アンテナＡ１及びＡ２の位置は、それらにおいて瞬時に受信された信号が補正されないような位置である。しかしながら、受信される信号に関して、０に等しくない時間差が観測され、このとき、それらの信号は相関性を示し、その相関性はダイバーシティ受信器１において有利に用いられる。一般に、アンテナＡ１及びＡ２の間の距離は、最適なアンテナダイバーシティの結果を得るために、２で除された受信信号の波長よりかなり大きい。ダイバーシティ受信器１が速度ｖで動いている乗物の中に位置付けられている場合、及び、アンテナが動きの方向の直線上に略位置付けられている場合、その１つのアンテナからのチャネルパラメータ評価は、他のアンテナをより良好に評価するために用いられ、ｄ／ｖ秒の時間遅延がある、ということができる。ダイバーシティ受信器１の他の実際的な実施形態においては、例えば、評価手段６、７において、その遅延値ｄ／ｖを明示的に評価することが可能である。遅延値は、それ故、種々のブランチにおける評価処理を最適に同期化するために、評価されたチャネルパラメータに対し
【００２２】
２つのブランチのみを図に示しているが、２つ以上のブランチ及び関連アンテナを有することが可能である。その場合、それぞれのチャネル評価手段は、中間情報として、それらに関連する情報又はチャネル評価情報を意のままに交換することが可能であり、又は、例えば、他のブランチの１つにおける受信チャネルを評価するための支援としてブランチの１つにおける関連情報又はチャネル評価の少なくとも一部を用いるために、そのような情報を互いに全てを交換することが可能である。
【００２３】
上記の方法は又、カーラジオ又は自動車用通信システムのようなモバイル通信装置又はシステムへのアプリケーションを見出すことができる。そのような例は、直交周波数分割多重（ＯＦＤＭ）システムであり、そのシステムにおいては、ダイバーシティは、独立データを担持するサブキャリアの多重化のために、多くの演算及び処理時間を必要とする。他の例は、例えば、ＤＶＢ−Ｔ（地上波）、ＩＳＤＢシステム、例えばセルラーＣＤＭＡ等のＣＤＭＡ（Ｃａｒｒｉｅｒ  Ｄｅｔｅｃｔ  Ｍｕｌｔｉｐｌｅ  Ａｃｃｅｓｓ）システム、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＧＳＭ（Ｇｌｏｂａｌ  Ｓｙｓｔｅｍｓ  ｆｏｒ  ＭＯｂｉｌｅ  Ｃｏｍｍｕｎｉｃａｔｉｏｎｓ）及び上記のＤＥＣＴシステム等のような、ディジタル映像放送（ＤＶＢ）システムである。ＯＦＤＭ信号の場合、（ベクトル）出力１０、１１は、典型的には、複数の平行なサブキャリア信号（例えば、ＷＬＡＮに対しては６４、ＤＶＢ−Ｔに対しては２ｋ、８ｋ）を有する。その場合、ブランチは全てのサブキャリアに対して繰り返される。直接シーケンスＣＤＭＡの場合、受信器のブランチは、典型的には、所謂、レイク受信器を構成する。そのような場合、出力１０、１１は各々、種々のレイクのフィンガーにおける信号を有するベクトル信号を担持する。制御可能増幅器１４、１５は、それ故、全てのフィンガー信号において動作する。加算器１６における加算は、それ故、全てのブランチにおける全てのフィンガーを累算する。
【図面の簡単な説明】
【００２４】
【図１】２つのアンテナ受信ブランチを有するダイバーシティ受信器の模式図である。
【図１】
0004541151.tif 000002